(57)【要約】【課題】  煩雑な操作無しでスピーカーの音量をオン・オフできる撮像装置を提供することを目的とする。  【解決手段】撮像ユニットを備えたカメラ本体と、このカメラ本体に取り付けられた表示部とを備える撮像装置の表示部を開閉することにより音声の出力を制御できるように構成する。【選択図】  図１
2005175980.tif 000002
【特許請求の範囲】
【請求項１】
撮像ユニットを備えたカメラ本体と、このカメラ本体に取り付けられた表示部とを有し、前記表示部を操作することにより音声の出力を制御できることを特徴とする撮像装置。
【請求項２】
前記表示部の開閉を認識するセンサを有することを特徴とする請求項１記載の撮像装置。
【請求項３】
前記表示部の回転を認識するセンサを有することを特徴とする請求項１記載の撮像装置。
【請求項４】
音声を出力するスピーカー部を有し、記録した映像を再生する際、前記表示部を開閉することにより、スピーカー部の出力をオン・オフできることを特徴とする請求項１記載の撮像装置。
【請求項５】
記録した映像を再生する際、前記表示部を閉じることにより、スピーカー部の出力をオフすることを特徴とする請求項１記載の撮像装置。
【請求項６】
記録した映像を再生する際、前記表示部を開くことにより、スピーカー部の出力をオンすることを特徴とする請求項１記載の撮像装置。
【請求項７】
記録した映像を再生する際、音声の出力を左右に反転して出力できることを特徴とする請求項１記載の撮像装置。
【請求項８】
撮像ユニットを備えたカメラ本体と、このカメラ本体に取り付けられた表示部とを有し、前記表示部は、スピーカーと一体型であることを特徴とすることを特徴とする撮像装置。
【請求項９】
前記表示部は、その表面に振動板を有し、音声を出力することができることを特徴とする請求項８記載の撮像装置。
【請求項１０】
前記表示部は、その内部に振動板を振動させるドライバを有することを特徴とする請求項８記載の撮像装置。
【請求項１１】
前記表示部は、その表面に振動板を有し、再生音を出力することができることを特徴とする請求項８記載の撮像装置。
【請求項１２】
撮像ユニットを備えたカメラ本体と、このカメラ本体に取り付けられた表示部とを有し、前記表示部はスピーカーと一体型であり、前記表示部を操作することにより、前記スピーカーからの音声の出力を制御できることを特徴とする装置。
【発明の詳細な説明】
【技術分野】
【０００１】
本発明は、静止画あるいは動画などの撮像画像を表示するための表示部を備える撮像装置に関するものである。
【背景技術】
【０００２】
近年、情報機器の発達に伴い、大型表示画面を備えるビデオカメラで、撮影した映像をその場で見て楽しむニーズが増大している。こうしたニーズに合わせ、撮影した映像を再生する際の表示装置の研究、開発が盛んに行われており、液晶パネルや、有機ＥＬパネルなどに代表される薄型表示装置を採用して、非常に大型な液晶を備えるビデオカメラが盛んに商品化されている。
【０００３】
こうした機器では、旧来のＴＶ接続による映像の鑑賞のみならず、ビデオカメラの液晶に映像を映すことにより、手軽に撮影した映像や音を鑑賞できる構成になっている。
【特許文献１】特開２００２−３１４９１６号公報
【発明の開示】
【発明が解決しようとする課題】
【０００４】
しかしながら、使用者が記録した映像を再生する際、周辺の環境によって音量を調整したり、オン・オフする必要があった。
【０００５】
例えば、静かな場所で周囲の迷惑にならないように撮像した映像を確認する場合、スピーカー音声をオフにすべきであるし、何人かで映像を鑑賞する場合には、反対にスピーカー音声をオンにする必要がある。上述のような従来例では、音量調節の際、音量を操作ボタンで調整したり、表示画面のメニューから音量をオン・オフする必要があったため、操作が煩雑で使い易さの面で使用者に不利益を与えていた。
【０００６】
本発明は上記問題点を鑑みてなされたものであり、煩雑な操作無しでスピーカーの音量をオン・オフできる撮像装置を提供することを目的とする。  
【課題を解決するための手段】
【０００７】
上記課題を解決するために、本発明の撮像装置は、撮像ユニットを備えたカメラ本体と、このカメラ本体に取り付けられた表示部とを有し、表示部を開閉することにより音声の出力を制御できることを特徴とする構成とする。
【０００８】
本発明の好適な一様態によれば、表示部の開閉を認識するセンサを有することを特徴とする構成し、表示部の回転を認識するセンサを有するように構成しても良い。
【０００９】
また、音声を出力するスピーカー部を有し、記録した映像を再生する際、該表示部を開閉することにより、スピーカー部の出力をオン・オフできることを特徴とする構成とした。また、記録した映像を再生する際、該表示部を閉じることにより、スピーカー部の出力をオフすることを特徴とする構成とし、記録した映像を再生する際、該表示部を開くことにより、スピーカー部の出力をオンするように構成しても良い。また、記録した映像を再生する際、音声の出力を左右に反転して出力できる構成とすることもできる。
【００１０】
さらに、本発明の好適な一様態によれば、撮像ユニットを備えたカメラ本体と、このカメラ本体に取り付けられた表示部とを有し、該表示部は、スピーカーと一体型であることを特徴とする構成とした。また、前記表示部は、その表面に振動板を有し、音声を出力することができる構成とし、前記表示部は、その内部に振動板を振動させるドライバを有することを特徴とする構成としても良く、前記表示部は、その表面に振動板を有し、再生音を出力することができることを特徴とする構成とすることも可能である。
【００１１】
また、本発明の好適な一様態によれば、撮像ユニットを備えたカメラ本体と、このカメラ本体に取り付けられた表示部とを有し、該表示部はスピーカーと一体型であり、該表示部を操作することにより、前記スピーカーからの音声の出力を制御できることを特徴とする構成とした。
【発明の効果】
【００１２】
本発明に係る撮像装置によれば、煩雑な操作無しでスピーカーの音量をオン・オフできる液晶表示部を持つ撮像装置を提供することができる。
【発明の最良の実施形態】
【００１３】
以下に本発明の実施例について説明する。
【実施例１】
【００１４】
以下に、本発明の第１の実施例を図１〜図１１に基づき説明する。
【００１５】
図１は、本発明の第１の実施例における撮像装置の構成を示すブロック図である。
【００１６】
図１において、１０１は撮像部、１０２は記録再生部、１０３はメディア、１０４は表示部、１０５は検知部、１０６は制御部、１０７はスイッチ部、１０８はスピーカー部である。
【００１７】
撮像部１０１は、画像や映像、音声などを入力する撮像ユニットである。記録再生部１０２は、記録時には撮像部から入力された映像、音声といった情報を符号化した後、メディア１０３に記録する。そして、再生時にはメディアに蓄えられている映像、音声といった情報を復号化した後、表示部１０４に映像を表示したり、スピーカー部１０７に音声を出力する。メディア１０３は、テープやディスク等の記録媒体で、画像や映像、音声といった情報が格納される。表示部１０４は、液晶パネルや、有機ＥＬパネルなどに代表される薄型表示装置であり、記録再生部から送られた画像や映像を表示する。検知部１０５は、表示部１０４の開閉、回転を検知し、検知信号を制御部１０６に供給する。制御部１０６は、検知部１０５からの検知信号を受けて、スイッチ部１０７のオン・オフをコントロールする。スピーカー部１０８は、記録再生部１０２からスイッチ部１０７を経由し供給される音声を出力する。
【００１８】
制御部１０６の制御の内容を図２のフローチャートを用いて説明する。
【００１９】
まず、表示部１０４が開いているか否かを検知する（Ｓ１）。そして、表示部１０４が開いているか閉じているかによって分岐する（Ｓ２）。もし、表示部１０４が開いているなら、スピーカーをオンにする（Ｓ３）。閉じているなら、スピーカーをオフにする。Ｓ３、Ｓ４の後はＳ１に戻り、繰り返し処理を行う。
【００２０】
次に図３は本発明の実施形態における表示装置の概観を示す図である。
【００２１】
図３において、３０１は撮像ユニットを有するビデオカメラ本体である。３０２は中継部、３０３は表示手段を有する表示部である。３０４はファインダー部、３０５はスピーカーである。
【００２２】
ビデオカメラ本体３０１に、中継部３０２が回転可能に接合し、表示部３０３がビデオカメラ本体３０１に対して開閉可能、傾斜可能、及び回転可能に動かす事ができる。
【００２３】
続いて、図１に示す構成を有する装置の操作例を説明する。
【００２４】
上記中継部３０２はセンサを有し、このセンサで表示部３０３の開閉を検出する。そして、表示部３０３がビデオカメラ本体３０１に対して開いている時は、スピーカー３０５の音量をオンする。
【００２５】
表示部３０３がビデオカメラ本体３０１に対して閉じている時には、スピーカー３０５の音量をオフする。使用者は撮影した映像をその場で確認したい際、周辺の環境によって、音量を調整したり、オン・オフする必要があったが、本構成では、音量調節ボタンで調節する、あるいは、メニュー画面からスピーカーをオン・オフするといった煩雑な操作無しに、単に表示パネルを開閉するだけで、該スピーカーの音量を制御することができる。たとえば、周囲が気になり、音量をオフで撮影した映像を確認したい場合、まず表示部３０３を閉じて、スピーカー３０５の音量をオフにする。そして、ファインダー部３０４を覗き込むことにより、音量をオフで再生映像を確認することができる。
【００２６】
さらに、メニューから操作することにより、スピーカー部のように表示部の開閉に連動せず、常にスピーカー部の音量がオンである装置も本発明の範疇である。
【実施例２】
【００２７】
続いて、第２の実施例を図４に基づいて説明する。
【００２８】
第２の実施例は、スピーカー部と表示部とが一体になっている構成であり、ビデオカメラにおけるスピーカー部と表示部が一体となった、表示部の内部構造を模式的に示すものである。
【００２９】
図４において、４０１は振動板であり、４０２は表示画面であり、４０３はドライバである。
【００３０】
表示部は振動板４０１を有し、振動板４０１は透明な素材であり、表示画面４０２の表示面側に位置することを特徴とする。
【００３１】
そして、ドライバ４０３により、振動板４０１が振動し、音が出る構成となっている。振動板が表示画面４０２の表面に位置しており、振動板４０１は、表示画面４０２と共に回転する為、常に使用者には表示画面４０２表面より音声が聞こえる構成になっている。よって、使用者は、表示画面から音が出てくるために映像と音声の一体感が味わえる。また、上述の実施形態と同様の制御により、使用者が該表示画面４０２を開くと、画面が見えると同時に音が聞こえる。反対に、使用者が該表示画面４０２を閉じると、画面が見えなくなるのと同時に音が聞こえなくなる。  
【００３２】
本実施形態は表示部とスピーカー部が一体になっているため、より直感的に操作できる。さらに、表示部とは別に本体にスピーカーを有し、表示部を開いているときは、表示部一体型のスピーカーから音声が出力され、表示部を閉じているときは本体のスピーカーから音声が出力され、本体のスピーカーの音量のオン・オフはメニュー等で切り替えることが出来る装置も本発明の範疇である。
【実施例３】
【００３３】
続いて、第３の実施例を図５、図６に基づいて説明する。
【００３４】
図５において、５０１は表示画面であり、５０２はスピーカー部であり、５０３はビデオカメラ本体であり、５０４はビデオカメラ本体５０３と表示画面５０１とを繋ぐ中継部である。
【００３５】
スピーカー部５０２は２個以上の振動板から構成されており、ステレオ出力である。また、中継部５０４は、開閉・回転センサを持つことを特徴とする。表示部の内部構造を、図６を用いて模式的に示す。
【００３６】
６０１は振動板であり、６０２は表示画面であり、６０３はドライバである。
【００３７】
上記表示画面５０１は、図５のように表示部が外から見える状態でビデオカメラ本体５０３に収納した場合、単に表示部を１８０度回転させた後に収納するだけでは、使用者から見て上下逆の向きで再生映像が見えてしまう。また、音声も左右逆に出力されてしまう。そこで、まず中継部５０４の開閉・回転センサによって表示部の状態を認識する。次に、使用者が正しい向きで再生映像が見えるように撮像画像を上下反転する。同時に、振動板５０２から出力される音声も、左右反対に出力する。このようにして、使用者は常に正しい向きでの音声を撮像画像から直接楽しむ事ができる。
【００３８】
なお、上述の実施例以外にも、複数の機器（例えばホストコンピュータ、カメラ、インタフェイス機器、液晶パネルなど）から構成されるシステムに適用しても、一つの機器からなる装置に適用してもよい。
【図面の簡単な説明】
【００３９】
【図１】本発明に係る第１の実施例を示すブロック図である。
【図２】本発明に係る第１の実施例の制御部の制御の内容を示すフローチャートである。
【図３】本発明に係る第１の実施例の撮像装置の概観の例を示す図である。
【図４】本発明に係る第２の実施例の装置における表示部の内部構造を示す断面図である。
【図５】本発明に係る第３の実施例の概観の例を示す図である。
【図６】本発明に係る第３の実施例の表示部の内部構造を示す断面図である。
【符号の説明】
【００４０】
１０１  撮像部
１０２  記録再生部
１０３  メディア
１０４  表示部
１０５  検知部
１０６  制御部
１０７  スイッチ部
１０８  スピーカー部
【図１】
2005175980.tif 000003
【図２】
2005175980.tif 000004
【図３】
2005175980.tif 000005
【図４】
2005175980.tif 000006
【図５】
2005175980.tif 000007
【図６】
2005175980.tif 000008